(57)【要約】【課題】検反作業の能率を保ちつつ、構成が安価な検査データ通信システム及び検査データ通信方法を提供することを目的とする。【解決手段】制御装置１１は、Ｗｅｂサーバ１１１と、Ｗｅｂブラウザで表示させる入力画面を生成する入力メッセージＣＧＩ生成手段１１２と、Ｗｅｂブラウザで表示させる出力画面を生成する出力メッセージＣＧＩ生成手段１１３と、出力メッセージＣＧＩ生成手段１１３で生成された出力画面を表示する表示装置１１４と、呼出し灯１１５とを備え、端末装置１２は、制御装置１１の入力メッセージＣＧＩ生成手段１１２で生成される入力画面を表示するＷｅｂブラウザ１２１を備えて構成される。【選択図】  図１
2004300586.tif 000002
【特許請求の範囲】
【請求項１】
織機の動作を制御する制御装置と、前記織機で製織された織布に異常があるか否かの検査を行う検査場に設置される端末装置とがネットワークを介して互いに前記検査に関する所定のデータを送受信する検査データ通信システムであって、
前記制御装置は、
前記織機で製織された織布に関する織布データを記録する記録手段と、
所望な前記織布データを前記端末装置に送信する旨の要求を示す要求データを前記端末装置から受信する第１の受信手段と、
前記第１の受信手段で受信される前記要求データに基づいて、前記記録手段に記録される織布データを前記端末装置に送信する第１の送信手段と、を備え、
前記端末装置は、
前記要求データを送信する第２の送信手段と、
前記織布データを受信する第２の受信手段と、
前記第２の受信手段で受信された前記織布データを表示する表示手段と、を備えることを特徴とする検査データ通信システム。
【請求項２】
請求項１に記載の検査データ通信システムであって、
前記織布データは、前記織機が停止したときの織布の長さを示すデータ及び前記織機が停止した原因を示すデータを含むことを特徴とする検査データ通信システム。
【請求項３】
請求項２に記載の検査データ通信システムであって、
前記織布データは、前記織布の切り下ろしを行った織機を示すデータ、前記織布の種類を示すデータ、前記織布の製織に使用されたビームの種類を示すデータ、前記織布の切り下しを行った日時を示すデータ、及び前記織布を識別するための識別データを含むことを特徴とする検査データ通信システム。
【請求項４】
織機の動作を制御する制御装置と、前記織機で製織された織布に異常があるか否かの検査を行う検査場に設置される端末装置とがネットワークを介して互いに所定のデータを送受信するための検査データ通信方法であって、予め前記織機で製織された織布に関する織布データを前記制御装置の備える記録手段に記録し、
前記端末装置の備える第１の送信手段から前記制御装置の備える第１の受信手段に、所望な前記織布データを前記端末装置に送信する旨の要求を示す要求データを送信し、
前記制御装置の備える第２の送信手段から前記端末装置の備える第２の受信手段に、前記要求データに基づく前記織布データを送信し、
前記織布データを前記端末装置の備える表示手段で表示することを特徴とする検査データ通信方法。
【発明の詳細な説明】
【０００１】
【発明の属する技術分野】
本発明は、織機の動作を制御する制御装置と検反工程を行う検反場に設置される端末装置との間でデータ通信を行うための検査データ通信システム及び検査データ通信方法に関する。
【０００２】
【従来の技術】
今日のインターネットやＷＷＷ（ＷｏｒｌｄＷｉｄｅＷｅｂ）の技術の発展により、織機などの産業用機器は、Ｗｅｂ（ＷＷＷ）サーバやＷｅｂブラウザなどを備え、ネットワーク機器としてＬＡＮ（ＬｏｃａｌＡｒｅａＮｅｔｗｏｒｋ）などのネットワークに接続されるようになった（例えば、特許文献１及び特許文献２参照）。
【０００３】
ところで、織機で製織される織布は、検反場などにおいて異常があるか否かが検反され、その内、異常が確認されなかったものが製品として市場に出荷される構成となっている。このとき、織機の動作を制御する制御装置は、それぞれの織機で製織された織布に関するデータ（例えば、織機が停止したときの織布の長さを示すデータや織機の停止原因を示すデータなど）をサーバなどに集中管理させている。そして、織布の検反を行う検反場に設置される端末装置は、検反に必要なデータをサーバから取り出し、ディスプレイなどに表示させている。そして、検反を行うオペレータは、そのディスプレイなどに表示されるデータに基づいて検査を行っている。このサーバで集中管理されるデータには、製織される織布の異常（例えば、経欠点、緯欠点、又は織段など）を発見するために参考となるデータ（例えば、織機が停止したときの織布の長さを示すデータなど）が含まれているため、そのデータに基づく織布の箇所について検反を重点的に行えば、検反作業の能率を向上させることができる（例えば、特許文献３参照）。
【０００４】
【特許文献１】
特開２００３−５８２５号  （第３〜６頁、第４図）
【０００５】
【特許文献２】
特開２００２−２０４２８１号  （第６〜１０頁、第１図）
【０００６】
【特許文献３】
特許第２６０７０８５号  （第２〜４頁、第４図）
【０００７】
【発明が解決しようとする課題】
しかしながら、上述のように、サーバにおいて織布の検反に必要なデータを集中管理するためには、そのサーバを常時運用させる必要があり、そのサーバを常時運用させるためには、メンテナンス費用などの運用コストが発生していた。
【０００８】
また、万一、サーバが故障した場合は、そのメンテナンスのために、検反作業を一旦停止させる場合もあり、検反作業の能率を下げてしまうおそれがある。
そこで、本発明は、検反作業の能率を保ちつつ、構成が安価な検査データ通信システム及び検査データ通信方法を提供することを目的とする。
【０００９】
【課題を解決するための手段】
上記の課題を解決するために本発明では、以下のような構成を採用した。
すなわち、本発明の検査データ通信システムは、織機の動作を制御する制御装置と、上記織機で製織された織布に異常があるか否かの検査を行う検査場に設置される端末装置とがネットワークを介して互いに上記検査に関する所定のデータを送受信する検査データ通信システムであって、上記制御装置は、上記織機で製織された織布に関する織布データを記録する記録手段と、所望な上記織布データを上記端末装置に送信する旨の要求を示す要求データを上記端末装置から受信する第１の受信手段と、該第１の受信手段で受信される上記要求データに基づいて、上記記録手段に記録される織布データを上記端末装置に送信する第１の送信手段とを備え、上記端末装置は、上記要求データを送信する第２の送信手段と、上記織布データを受信する第２の受信手段と、該第２の受信手段で受信された上記織布データを表示する表示手段とを備えることを特徴とする。
【００１０】
また、上記検査データ通信システムにおける織布データは、上記織機が停止したときの織布の長さを示すデータ及び上記織機が停止した原因を示すデータを含むようにしてもよい。
また、上記検査データ通信システムにおける織布データは、上記織布の切り下ろしを行った織機を示すデータ、上記織布の種類を示すデータ、上記織布の製織に使用されたビームの種類を示すデータ、上記織布の切り下しを行った日時を示すデータ、及び上記織布を識別するための識別データを含むようにしてもよい。
【００１１】
これより、サーバを介すことなく織布データを制御装置から端末装置に送信することができるので、検反作業の能率を保ちつつ、安価な検査データ通信システムを構築することが可能となる。
また、本発明の範囲は、織機の動作を制御する制御装置と、前記織機で製織された織布に異常があるか否かの検査を行う検査場に設置される端末装置とがネットワークを介して互いに所定のデータを送受信するための検査データ通信方法にまで及ぶ。
【００１２】
【発明の実施の形態】
以下、本発明の実施の形態を図面を用いて説明する。
図１は、本発明の実施形態の検査データ通信システムの構成を示す図である。
図１に示すように、検査データ通信システム１０は、複数の織機の動作を制御するための制御装置１１（織機１号、織機２号、織機３号、・・・）と、検反場などに設置される複数の端末装置１２（検反１号、検反２号、・・・）と、ＬＡＮ（ＬｏｃａｌＡｒｅａＮｅｔｗｏｒｋ）などのネットワーク１３とを備えて構成され、制御装置１１及び端末装置１２は、ネットワーク１３を介して互いに所定のデータを送受信する。
【００１３】
上記制御装置１１は、ネットワーク１３に接続されるＷｅｂブラウザと所定のデータを送受信するＷｅｂサーバ１１１と、ネットワーク１３に接続されるＷｅｂブラウザに表示させる入力画面（Ｗｅｂコンテンツ）を生成する入力メッセージＣＧＩ（ＣｏｍｍｏｎＧａｔｅｗａｙＩｎｔｅｒｆａｃｅ）生成手段１１２と、ネットワーク１３に接続されるＷｅｂブラウザなどに表示させる出力画面（Ｗｅｂコンテンツ）を生成する出力メッセージＣＧＩ生成手段１１３と、出力メッセージＣＧＩ生成手段１１３で生成された出力画面を表示する表示手段１１４と、Ｗｅｂサーバ１１１で受信される制御データに基づいて動作する呼出し灯１１５とを備えて構成される。
【００１４】
上記端末装置１２は、制御装置１１の入力メッセージＣＧＩ生成手段１１２で生成される入力画面又は出力メッセージＣＧＩ生成手段１１３で生成される出力画面を表示するＷｅｂブラウザ１２１を備えて構成される。
また、検査データ通信システム１０は、オペレータによって、織機で製織され、ロール状に巻き取られた織布を所定の長さで切断して織布ロールを形成する織布の切り下ろし処理や次工程で織布ロールに、経欠点（準備工程で一部の経糸に異常が生じたような場合、それが原因となって布に連続した異常が生じるような場合の布の不良点）、緯欠点（例えば、よこ糸が切れてしまうこと）、又は織段（例えば、よこ糸密度が変化して布上のよこ糸とよこ糸の間隔が不均一になること）などの異常（布欠点）があるか否かを確認する検反作業が行われている。
【００１５】
図２は、制御装置１１又は端末装置１２の構成の一例を示す図である。
図２に示すように制御装置１１又は端末装置１２は、ＣＰＵ（ＣｅｎｔｒａｌＰｒｏｃｅｓｓｉｎｇＵｎｉｔ）２０、メモリ２１（記録手段）、入力装置２２、出力装置２３（表示手段）、外部記憶装置２４（記録手段）、媒体駆動装置２５、及びネットワーク接続装置２６（第１及び第２の送信手段、第１及び第２の受信手段）を備え、それらはバス２７により互いに接続されている。
【００１６】
メモリ２１は、例えば、ＲＯＭ（ＲｅａｄＯｎｌｙＭｅｍｏｒｙ）、ＲＡＭ（ＲａｎｄｏｍＡｃｃｅｓｓＭｅｍｏｒｙ）、フラッシュメモリ、ＳＲＡＭ（ＳｔａｔｉｃＲａｎｄｏｍＡｃｃｅｓｓＭｅｍｏｒｙ）、ＤＲＡＭ（ＤｙｎａｍｉｃＲａｎｄｏｍＡｃｃｅｓｓＭｅｍｏｒｙ）等を含み、処理に用いられるプログラム及びＷｅｂコンテンツや後述する要求データ及び織布データなどを格納する。
ＣＰＵ２０は、メモリ２１を利用してプログラムを実行することにより、必要な処理を行う。
【００１７】
Ｗｅｂサーバ１１１のＷｅｂサーバ機能やＷｅｂブラウザ１２１のＷｅｂブラウザ機能等がプログラムにより記述されたソフトウェアコンポーネントに対応し、それぞれ、メモリ２１内の特定のプログラムコードセグメントに格納される。
入力装置２２は、例えば、キーボード、マウスなどを含み、オペレータからの指示や情報の入力に用いられる。
【００１８】
出力装置２３は、例えば、ディスプレイなどを含み、制御装置１１の場合、表示装置１１４や呼出し灯１１５を構成し、端末装置１２の場合、Ｗｅｂブラウザ１２１を構成する。また、入力装置２２と出力装置２３とが組み合わされることにより、例えば、タッチパネル等を構成してもよい。
【００１９】
外部記憶装置２４は、例えば、磁気ディスク装置、光ディスク装置、光磁気ディスク（Ｍａｇｎｅｔｏ―ｏｐｔｉｃａｌＤｉｓｋ）装置等を含む。オペレータは、この外部記憶装置２４に後述する要求データや織布データなどを記録しておき、必要に応じて、それらをメモリ２１にロードして使用することができる。
【００２０】
媒体駆動装置２５は、可搬記録媒体２８を駆動し、その記録内容にアクセスする。可搬記録媒体２８としては、メモリカード、フレキシブルディスク、ＣＤ−ＲＯＭ（ＣｏｍｐａｃｔＤｉｓｋ−ＲｅａｄＯｎｌｙＭｅｍｏｒｙ）、光ディスク、光磁気ディスク等、任意のコンピュータ読み取り可能な記録媒体が用いられる。オペレータは、この可搬記録媒体２８に後述する要求データや織布データなどを格納しておき、必要に応じて、それらをメモリ２１にロードして使用することができる。
【００２１】
ネットワーク接続装置２６は、ネットワークインタフェースにより制御され、ＬＡＮ等の任意のネットワーク１４に接続して、通信に伴うデータ変換を行う。また、可搬記録媒体２８など記録されたプログラムなどは、メモリ２１にロードされる。そして、ＣＰＵ２０は、そのデータを用いてそのプログラムを実行し、必要な処理を行う。
【００２２】
尚、後述の入力画面や出力画面など等は、既存のプログラムやソフトウェア技術を利用すれば実現できるので、これら表示を行う処理の内容については特に説明をしない。
図３は、端末装置１２の動作を説明するためのフローチャートである。
【００２３】
まず、ステップＳ１において、端末装置１２は、これから検反を行う織布ロールに付された織布データ（例えば、切り下ろし処理を行った織機の名称、品種名、ビーム名、切り下ろし処理を行った日時、シリアル番号（識別データ）など）に対応する制御装置１１に、ロールデータ（織機が停止したときの織布の長さを示すデータ及び織機が停止したときの停止原因を示すデータ）を送信する旨の要求データを送信する。なお、上記織布ロールに付される所定のデータは、織布ロールに直接マジックで書かれてもよいし、また、織布ロールの備えるタグに示されたり、ＩＣチップやバーコードで示されたりしてもよい。
【００２４】
次に、ステップＳ２において、端末装置１２は、上記要求データに基づくロールデータをネットワーク１４を介して受信する。
次に、ステップＳ３において、端末装置１２は、受信したロールデータをＷｅｂブラウザ１２１に表示する。ここで、図４は、Ｗｅｂブラウザ１２１に表示される画面の一例を示す図である。図４に示すように、画面４０には、織機が停止したときの織布の長さを示すデータ（緯入れ回数を示すピック数、あるいはメータやヤードなど）と、停止時間（分）と、停止原因毎の停止累積回数（回）と、停止原因とが表示されている。なお、画面４０に表示されるデータは、オペレータにより織布に異常が発見され、その旨のデータが入力されたときの織布の長さを示すデータ、織布の異常が解消されるまでにかかった時間を示すデータなどを表示させてもよい。また、図４に示す画面をＷｅｂブラウザ１２１に表示させる方法は、例えば、ＩＰアドレスを指定することにより目的の画面４０を表させたり、予めリンクページ（ホームページ）を作成しておき、まずこのリンクページを表示させてから目的の画面４０にジャンプさせるようにしてもよい。
【００２５】
そして、オペレータは、このＷｅｂブラウザ１２１に表示される画面４０のロールデータを参照しながら、検反工程を行うことにより、織布の異常が発生する可能性の高い箇所を重点的に検反することができるので、検反工程の作業能率を向上させることができる。
【００２６】
このように、制御装置１１にＷｅｂサーバ１１１を備えると共に、端末装置１２にＷｅｂブラウザ１２１を備えることにより、サーバを介すことなく、所望なロールデータをオペレータが参照することができるので、検反作業の能率を保ちつつ、サーバの常時運用にかかるコストを削減できる。
【００２７】
次に、制御装置１１に記録されるロールデータの作成方法を説明する。
図５は、制御装置１１の動作を説明するためのフローチャートである。
図５に示すように、ステップＳＴ１において、制御装置１１は、入力装置２２などからオペレータによって「切り下ろしを実行させる」旨の要求や「切り下ろしまでの織布の長さ」などが入力される。
【００２８】
次に、ステップＳＴ２において、制御装置１１は、織機の運転が開始されてから停止するまでの間のロールデータを確定し、ロールデータを作成するために所定のカウンタを用意する。
次に、ステップＳＴ３において、制御装置１１は、用意された所定のカウンタを初期化する。
【００２９】
次に、ステップＳＴ４において、制御装置１１は、織機の運転を開始させると共に、カウンタを開始させる。
次に、ステップＳＴ５において、制御装置１１は、「異常により織機の運転を停止させる」旨の要求がオペレータによって入力されたか否かを判断する。
【００３０】
要求データが入力されたと判断すると（ステップＳＴ５がＹｅｓ）、ステップＳＴ６において、制御装置１１は、織機の運転を停止させる。
そして、ステップＳＴ７において、制御装置１１は、オペレータによって入力されるロールデータを上記カウンタの数える所定の数値と関連付けてメモリ２２などの所定の記録手段に記録する。
【００３１】
そして、ステップＳＴ８において、制御装置１１は、製織される織布が予め決められた長さ（例えば、ステップＳＴ１で入力された「切り下ろしまでの織布の長さ」）に達したか否かを判断する。なお、要求データが入力されていないと判断する場合（ステップＳＴ５がＮｏ）は、ステップＳＴ８に進む。
【００３２】
織布が予め決められた長さに達したと判断しない場合（ステップＳＴ８がＮｏ）、ステップＳＴ５に戻り、「異常により織機の運転を停止させる」旨の要求データが入力されたか否かを判断する。
一方、織布が予め決められた長さに達したと判断した場合（ステップＳＴ８がＹｅｓ）、スタートに戻る。
【００３３】
次に、検反工程において、検反中の織布ロールに異常が確認されたとき、その異常を示す異常データを端末装置１２から制御装置１１に送信する際の制御装置１１及び端末装置１２の互いの動作を説明する。
図６は、制御装置１１及び端末装置１２の互いの動作を説明するためのシーケンス図である。
【００３４】
図６に示すように、まず、ステップＳＴＰ１において、端末装置１２は、所定の制御装置１１に対して、「織布の異常に関するメッセージを入力するための入力画面を送信する」旨の要求を示す要求データを送信する。
次に、ステップＳＴＰ２において、制御装置１１は、要求データを受信すると、入力メッセージＣＧＩ生成手段１１２において、所定の入力画面を生成し、端末装置１２に送信する。
【００３５】
次に、ステップＳＴＰ３において、端末装置１２は、受信される入力画面をＷｅｂブラウザ１２１により表示する。そして、オペレータは、Ｗｅｂブラウザ１２１に表示された入力画面にメッセージなどを入力する。ここで、図７（ａ）は、Ｗｅｂブラウザ１２１に表示される入力画面の一例を示す図である。図７（ａ）に示すように、入力画面７０は、任意なメッセージが入力可能な入力欄７１と、所定の枠を指で押したりクリックしたりすることにより織機の動作制御の種類を選択することが可能な選択枠７２と、入力欄７１に入力されたメッセージを示す異常データ及び選択枠７２で選択された動作制御の種類を示す制御データを制御装置１１に送信する送信ボタン７３とを備えて構成される。図７（ａ）に示す例では、入力欄７１に「経欠点の発生」というメッセージが入力され、「リモート停止」及び「呼出し灯点滅」の選択枠７２が選択されている。そして、端末装置１２は、送信ボタン７３が押されたことを確認すると、異常データ及び制御データを制御装置１１に送信する。
【００３６】
次に、ステップＳＴＰ４において、制御装置１１は、受信される異常データ及び制御データに基づいて、織機の動作を制御すると共に、出力メッセージＣＧＩ生成手段１１３において、織機の動作が制御された結果を示す結果データに基づいて所定の出力画面を生成し、その出力画面を表示手段１１４に表示する。なお、例えば、制御データに基づいて呼び出し灯１１５を点滅させる制御を行う場合、制御装置１１は、その呼び出し灯１１５が点滅したことを確認すると、そのことを示す結果データを生成する。ここで、図７（ｂ）は、表示手段１１４に表示される出力画面の一例を示す図である。図７（ｂ）に示すように、出力画面７４は、メッセージの送信先の端末装置１１の名称、入力欄７１で入力されたメッセージ、及び織機の動作制御が成功したか否かを表示する表示欄７５を備えて構成される。図７（ｂ）に示す例では、表示欄７５に「検反１号からのメッセージ、「経欠点の発生」、リモート停止  成功、呼出し灯点滅  成功」と表示されている。
【００３７】
次に、ステップＳＴＰ５において、端末装置１２は、制御装置１１から送信される出力画面７４のデータを受信し、その出力画面７４をＷｅｂブラウザ１２１に表示する。
このように、制御装置１１にＷｅｂサーバ１１１を備えると共に、端末装置１２にＷｅｂブラウザ１２１を備えることにより、サーバを介すことなく、入力欄７１に入力されたメッセージを制御装置１１の表示装置１１４に表示できるので、この検査データ通信システム１０を導入する際にかかる導入コストや検査データ通信システム１０を運用していくのに必要な運用コストをサーバを必要とする既存の検査データ通信システムよりも安価にすることができる。
【００３８】
また、サーバを必要としないため、ネットワーク１３に接続される制御装置１１が数台の小規模な検査データ通信システム１０からネットワーク１３に接続される制御装置１１が数百台〜数千台の大規模な検査データ通信システム１０までの様々なシステムを容易に構築することが可能である。
【００３９】
また、サーバを必要としないため、サーバが停止することによって発生する検反工程における作業能率の低下をなくすことができる。
＜その他の実施形態＞
本発明は、上記実施の形態に限定されるものではなく、各請求項に記載した範囲において、種々の構成を採用可能である。例えば、以下のような構成変更も可能である。
【００４０】
（１）図８は、本発明の他の実施形態の検査データ通信システムの構成を示す図である。なお、図１と同様な構成については、同一の符号を付し、その説明を省略する。
図８に示すように、検査データ通信システム８０は、ネットワーク１３と接続される無線ＬＡＮ機能搭載の基地局８１と、基地局８１を介して所定のデータ（例えば、上記要求データや上記ロールデータなど）を制御装置１１と無線で送受信する無線端末装置８２とを備えて構成される。なお、無線端末装置８２は、例えば、無線ＬＡＮ機能付きのパーソナルコンピュータやＰＤＡ（ＰｅｒｓｏｎａｌＤｉｇｉｔａｌＡｓｓｉｓｔａｎｔ）などが考えられ、図１に示す端末装置１２と同様に、Ｗｅｂブラウザ１２１が備えられる構成である。
【００４１】
（２）上記実施形態の図５のステップＳＴ６において、制御装置１１は、要求データが入力されたと判断すると、織機の運転を停止させ、ロールデータをカウンタに記録しているが、要求データが入力されても織機の運転を停止させずに、ロールデータをカウンタに記録してもよい。すなわち、ステップＳＴ６を省略して、ステップＳＴ５からステップＳＴ７へ進んでもよい。
【００４２】
（３）上記実施形態の検査データ通信システム１０の制御装置１１は、織機の動作を制御するだけでなく様々な産業用機器の動作を制御することが可能である。すなわち、制御装置１２は、少なくともＷｅｂサーバ１１１、入力メッセージＣＧＩ生成手段１１２、出力メッセージＣＧＩ生成手段１１３、及び表示手段１１４が備えられる構成であれば、どのような種類の産業用機器に対しても適用することができる。
【００４３】
（４）上記実施形態の図５のステップＳＴ７では、オペレータにより入力されるロールデータを所定の記録手段に記録しているが、織布の異常を検知することが可能なセンサによってロールデータを取得し所定の記録手段に記録するようにしてもよい。
【００４４】
【発明の効果】
以上、本発明によれば、サーバを介すことなく織布データを制御装置から端末装置に送信することができるので、検反作業の能率を保ちつつ、安価な検査データ通信システムを構築することが可能となる。
【図面の簡単な説明】
【図１】本発明の実施形態の検査データ通信システムの構成を示す図である。
【図２】制御装置及び端末装置の構成を示す図である。
【図３】端末装置の動作を説明するためのフローチャートである。
【図４】Ｗｅｂブラウザに表示される画面の一例を示す図である。
【図５】制御装置の動作を説明するためのフローチャートである。
【図６】制御装置及び端末装置の互いの動作を説明するためのシーケンス図である。
【図７】Ｗｅｂブラウザ及び表示装置に表示される画面の一例を示す図である。
【図８】本発明の他の実施形態の検査データ通信システムの構成を示す図である。
【符号の説明】
１０  検査データ通信システム
１１  制御装置
１１１  Ｗｅｂサーバ
１１２  入力メッセージＣＧＩ生成部
１１３  出力メッセージＣＧＩ生成部
１１４  表示装置
１１５  呼出し灯
１２  端末装置
１２１  Ｗｅｂブラウザ
２０  ＣＰＵ
２１  メモリ
２２  入力装置
２３  出力装置
２４  外部記憶装置
２５  媒体駆動装置
２６  ネットワーク接続装置
２７  バス
２８  可搬記録媒体
８０  検査データ通信システム
８１  基地局
８２  無線端末装置
【図１】
2004300586.tif 000003
【図２】
2004300586.tif 000004
【図３】
2004300586.tif 000005
【図４】
2004300586.tif 000006
【図５】
2004300586.tif 000007
【図６】
2004300586.tif 000008
【図７】
2004300586.tif 000009
【図８】
2004300586.tif 000010